(57)【要約】【課題】より簡便かつ厳正に新しいキーホルダを登録可能な鍵管理機を提供する。【解決手段】鍵23を管理する鍵管理部16を備える鍵管理機10である。鍵23と識別情報を有するキーホルダ21とを連結する。取得部44は、キーホルダ21の識別情報を取得する。登録部は、取得部44により取得された識別情報を有するキーホルダ21を、管理対象のキーホルダ21として登録する。【選択図】図１
2020122312.tif 000002
【特許請求の範囲】
【請求項１】
鍵を管理する鍵管理部を備える鍵管理機であって、
識別情報を有し、前記鍵と連結するキーホルダと、
前記キーホルダの識別情報を取得する取得部と、
前記取得部により取得された識別情報を有する前記キーホルダを、管理対象のキーホルダとして登録する登録部と、
を具備することを特徴とする鍵管理機。
【請求項２】
前記キーホルダは、識別情報を有する無線タグが設けられ、
前記取得部は、前記無線タグから識別情報を取得する
ことを特徴とする請求項１記載の鍵管理機。
【請求項３】
前記登録部は、登録に係る権限を有する管理者によって登録処理可能とする
ことを特徴とする請求項１または２記載の鍵管理機。
【請求項４】
キーホルダ登録モードを有する制御部をさらに具備し、
前記登録部は、前記キーホルダ登録モードの際に、前記取得部により取得された識別情報を有するキーホルダを、管理対象のキーホルダとして登録する
ことを特徴とする請求項１ないし３いずれか一記載の鍵管理機。
【請求項５】
前記登録部は、既に登録済みの前記キーホルダについては登録不可とする
ことを特徴とする請求項１ないし４いずれか一記載の鍵管理機。
【請求項６】
前記キーホルダを挿入する錠機構をさらに具備し、
前記取得部は、前記錠機構に近接して設けられ、前記錠機構に前記キーホルダが挿入される際に、前記識別情報を取得する
ことを特徴とする請求項１ないし５いずれか一記載の鍵管理機。
【請求項７】
前記登録部は、前記キーホルダが挿入された前記錠機構を、当該キーホルダを管理する前記錠機構として登録する
ことを特徴とする請求項６記載の鍵管理機。
【請求項８】
前記登録部は、既に前記キーホルダが登録されている前記錠機構に対し、別の前記キーホルダが挿入されても前記錠機構に当該キーホルダを登録不可とする
ことを特徴とする請求項７記載の鍵管理機。
【請求項９】
前記錠機構を複数具備し、
前記登録部は、全ての前記錠機構に前記キーホルダが登録されている場合、前記錠機構に別の前記キーホルダを登録不可とする
ことを特徴とする請求項７または８記載の鍵管理機。
【請求項１０】
前記錠機構を複数具備し、
前記錠機構に対する前記キーホルダの返却時に認証を必要とする返却認証の有無を、前記錠機構毎に設定する返却認証設定部をさらに具備する
ことを特徴とする請求項７または８記載の鍵管理機。
【請求項１１】
鍵を管理する鍵管理部を備える鍵管理機と、鍵と連結するキーホルダと、取得部と、登録部と、を具備する鍵管理システムであって、
前記キーホルダは、識別情報を有し、
前記取得部は、前記キーホルダの識別情報を取得し、
前記登録部は、前記取得部により取得された識別情報を有する前記キーホルダを、管理対象のキーホルダとして登録する
ことを特徴とする鍵管理システム。
【請求項１２】
識別情報を有するキーホルダと連結する鍵、を管理する鍵管理部を備える鍵管理機の鍵管理方法であって、
前記キーホルダの識別情報を取得部により取得する取得ステップと、
前記取得部により取得された識別情報を有する前記キーホルダを、管理対象のキーホルダとして登録部により登録する登録ステップと、
を具備することを特徴とする鍵管理方法。
【発明の詳細な説明】
【技術分野】
【０００１】
本発明は、鍵を管理する鍵管理機、鍵管理システムおよび鍵管理方法に関する。
【背景技術】
【０００２】
従来、金融機関や流通機関等においては、処理機器の作動用の鍵や管理場所を開閉する鍵等、複数の重要な鍵が使用されており、これら鍵の使用可能者を制限したり、鍵の使用履歴を残すために、鍵管理機を用いて電子制御により鍵を管理している。例えば、鍵管理機に挿脱可能なキーホルダと鍵を連結し、このキーホルダの識別情報を鍵管理機に登録しておくことにより、鍵を管理している。
【０００３】
このような鍵管理機では、キーホルダの紛失または故障の場合、鍵管理機メーカーのサービスマンが新しいキーホルダを準備して現場へ向かい、サービスマンによって新しいキーホルダを新規登録する運用が一般的である。
【先行技術文献】
【特許文献】
【０００４】
【特許文献１】特開２００６−２５７６４３号公報
【発明の概要】
【発明が解決しようとする課題】
【０００５】
しかしながら、上記のような運用の場合、サービスマンの工数がかかり、鍵管理機メーカー側の負担となっていた。また、仮に、キーホルダの新規登録をユーザー側で実施する運用とした場合、厳正な鍵管理のために不正の余地がない運用とする必要がある。
【０００６】
本発明は、より簡便かつ厳正に新しいキーホルダを登録可能な鍵管理機、鍵管理システムおよび鍵管理方法を提供することを目的とする。
【課題を解決するための手段】
【０００７】
本発明の鍵管理機は、鍵を管理する鍵管理部を備える鍵管理機であって、識別情報を有し、前記鍵と連結するキーホルダと、前記キーホルダの識別情報を取得する取得部と、前記取得部により取得された識別情報を有する前記キーホルダを、管理対象のキーホルダとして登録する登録部と、を具備するものである。
【０００８】
前記キーホルダは、識別情報を有する無線タグが設けられ、前記取得部は、前記無線タグから識別情報を取得するものである。
【０００９】
前記登録部は、登録に係る権限を有する管理者によって登録処理可能とするものである。
【００１０】
キーホルダ登録モードを有する制御部をさらに具備し、前記登録部は、前記キーホルダ登録モードの際に、前記取得部により取得された識別情報を有するキーホルダを、管理対象のキーホルダとして登録するものである。
【００１１】
前記登録部は、既に登録済みの前記キーホルダについては登録不可とするものである。
【００１２】
前記キーホルダを挿入する錠機構をさらに具備し、前記取得部は、前記錠機構に近接して設けられ、前記錠機構に前記キーホルダが挿入される際に、前記識別情報を取得するものである。
【００１３】
前記登録部は、前記キーホルダが挿入された前記錠機構を、当該キーホルダを管理する前記錠機構として登録するものである。
【００１４】
前記登録部は、既に前記キーホルダが登録されている前記錠機構に対し、別の前記キーホルダが挿入されても前記錠機構に当該キーホルダを登録不可とするものである。
【００１５】
前記錠機構を複数具備し、前記登録部は、全ての前記錠機構に前記キーホルダが登録されている場合、前記錠機構に別の前記キーホルダを登録不可とするものである。
【００１６】
前記錠機構を複数具備し、前記錠機構に対する前記キーホルダの返却時に認証を必要とする返却認証の有無を、前記錠機構毎に設定する返却認証設定部をさらに具備するものである。
【００１７】
また、本発明の鍵管理システムは、鍵を管理する鍵管理部を備える鍵管理機と、鍵と連結するキーホルダと、取得部と、登録部と、を具備する鍵管理システムであって、前記キーホルダは、識別情報を有し、前記取得部は、前記キーホルダの識別情報を取得し、前記登録部は、前記取得部により取得された識別情報を有する前記キーホルダを、管理対象のキーホルダとして登録するものである。
【００１８】
また、本発明の鍵管理方法は、識別情報を有するキーホルダと連結する鍵、を管理する鍵管理部を備える鍵管理機の鍵管理方法であって、前記キーホルダの識別情報を取得部により取得する取得ステップと、前記取得部により取得された識別情報を有する前記キーホルダを、管理対象のキーホルダとして登録部により登録する登録ステップと、を具備するものである。
【発明の効果】
【００１９】
本発明によれば、より簡便かつ厳正に新しいキーホルダを登録できる。
【図面の簡単な説明】
【００２０】
【図１】本発明の一実施の形態を示す鍵管理機の斜視図である。
【図２】同上鍵管理機の鍵およびキーホルダの斜視図である。
【図３】同上鍵管理機のブロック図である。
【図４】同上鍵管理機を用いた鍵管理システムの構成図である。
【図５】同上鍵管理機および鍵管理システムの鍵交換処理を示すフローチャートである。
【図６】同上鍵管理機のキーホルダ登録処理のフローチャートである。
【図７】同上鍵管理機のキーホルダ登録画面の説明図である。
【図８】同上鍵管理機によるキーホルダの登録履歴を印字したジャーナルの説明図である。
【図９】同上鍵管理機の返却認証設定画面の説明図である。
【発明を実施するための形態】
【００２１】
以下、本発明の一実施の形態を、図面を参照して説明する。
【００２２】
図１に示すように、鍵管理機10は、筐体である本体11を備えている。本体11の前面に第１の扉12、第２の扉13および表示ユニット14がそれぞれ開閉可能に設けられている。本体11の前面には、第１の扉12によって開閉される鍵管理部16、第２の扉13によって開閉されるプリンタ17および鍵交換部18、さらにカードリーダ19等が配設されている。
【００２３】
そして、鍵管理部16は、キーホルダ21にそれぞれリング22で連結された鍵23を管理する。鍵管理部16には、キーホルダ21が挿入されてそのキーホルダ21を施錠する複数の錠機構25が設けられている。錠機構25は、例えば、鍵管理部16のパネル部26に上下２段でかつ各段毎に５個ずつの配列で設けられている。パネル部26の各錠機構25の位置には、キーホルダ21が挿入される挿入口27が形成されている。各錠機構25は、キーホルダ21が挿入口27の所定の施錠位置まで挿入されたことを検知するキーホルダ検知部、および所定の施錠位置に挿入されたキーホルダ21を施錠するキーホルダ施錠部等を有している。キーホルダ施錠部は、挿入されたキーホルダ21を係止部材によって係止し、例えばソレノイドなどの電気的駆動部によって係止部材による係止を解除可能とする。また、パネル部26の各錠機構25の下側には、例えばキーホルダ21を抜き取ったり挿入する錠機構25の位置等を表示するための錠表示部28が設けられている。なお、キーホルダ21や錠機構25等は、それぞれ複数でもよいし、１つずつでもよく、数に限定はない。
【００２４】
各錠機構25は、挿入口27の形状が共通でどのキーホルダ21でも挿入可能としているが、各錠機構25と各錠機構25で管理するキーホルダ21との関連付けが予め登録されており、関連付けが登録されているキーホルダ21のみ施錠して管理可能とする。
【００２５】
鍵管理部16での鍵23の管理に用いられるキーホルダ21は、例えば、キーホルダ本体、およびこのキーホルダ本体にリング22を介して係止されるリング係止体等を有している。鍵23が装着されたリング22を介して組み合わされたキーホルダ本体とリング係止体は、リング22を取り外し不可に係止されている。キーホルダ21に対する鍵23の交換や追加等のためのキーホルダ本体とリング係止体との係止解除は、鍵交換の権限を有する権限者である例えば管理者によって鍵交換部18で行うことが可能となっている。なお、１つのキーホルダ21には、１つの鍵23が連結される場合に限らず、利用目的に応じて複数の鍵23が一緒に連結される場合もある。
【００２６】
各キーホルダ21は、形状が共通でどの錠機構25にも挿入可能としているが、各錠機構25と各錠機構25で管理するキーホルダ21との関連付けが予め登録されており、関連付けが登録されている錠機構25に挿入した場合にのみ施錠される。
【００２７】
プリンタ17は、鍵抜取情報および鍵交換情報などを含む鍵管理機10の履歴を本体11内に配置されたロール紙などの用紙に印字する。プリンタ17で印字された用紙は、本体11の前面から導出されるか、もしくは本体11内の巻取ユニットによって巻き取られる。
【００２８】
鍵交換部18は、キーホルダ21と鍵23との連結を解除するもので、鍵交換の権限を有する権限者である例えば管理者のみが利用できる。鍵交換部18は、いずれのキーホルダ21も挿入可能とする挿入口30、この挿入口30を開閉するカバー31、挿入口30内の所定の係止解除位置まで挿入されたキーホルダ21に対してキーホルダ本体とリング係止体の係止を解除してリング22を外せる状態とする解除部材、管理者によるキーホルダ21に対しての係止解除を許可するとともに管理者以外によるキーホルダ21に対しての係止解除を不可とする鍵交換規制部、およびキーホルダ21に対して係止解除を行うことを検知する鍵交換検知部等を有している。鍵交換規制部は、例えば、ソレノイド等の電気的駆動部でストッパを挿入口30に進退させるストッパ機構を用い、通常はストッパが挿入口30内に進出し、キーホルダ21が挿入口30の所定の係止解除位置まで挿入されるのを規制し、また、管理者が操作する場合にのみストッパが挿入口30内から退避し、キーホルダ21が挿入口30の所定の係止解除位置まで挿入されるのを可能とする。
【００２９】
カードリーダ19は、本体11の前面に上下方向に沿ってスリット状に設けられた読取溝33内に配置されている。カードの磁気記憶帯を読取溝33に沿って上から下に通すことにより、カードリーダ19によってカードの磁気記憶帯から情報が読み取られる。
【００３０】
また、第１の扉12は、本体11にヒンジ35によって開閉可能に取り付けられ、本体11に配置された第１の扉施錠機構により本体11に対して閉鎖状態で施錠され、第１の扉施錠機構の解錠によって本体11から開放可能としている。
【００３１】
また、第２の扉13は、本体11にヒンジ36によって開閉可能に取り付けられ、本体11に配置された第２の扉施錠機構により本体11に対して閉鎖状態で施錠され、第２の扉施錠機構の解錠によって本体11から開放可能としている。
【００３２】
また、表示ユニット14は、操作部38および表示部39を有している。操作部38には、表示部39の前面に設けられたタッチパネル38aが用いられている。表示部39は、例えばカラーの液晶表示パネルや有機ＥＬ表示パネルなどが用いられている。
【００３３】
次に、図２に、キーホルダ21にリング22で連結された鍵23を示す。
【００３４】
鍵23には、第１の無線タグ41が設けられている。第１の無線タグ41は、例えばＲＦＩＤ（Radio Frequency Identification）タグである。第１の無線タグ41は、固有の識別情報である第１の情報を有している。鍵23に第１の無線タグ41を設けるには、例えば、鍵23にシールタイプの第１の無線タグ41を貼り付けてもよいし、鍵23に第１の無線タグ41を埋め込んでもよいし、鍵23に第１の無線タグ41を連結してもよいし、鍵23の頭に取付可能なキーキャップに第１の無線タグ41を設けてもよい。
【００３５】
キーホルダ21には、無線タグである第２の無線タグ42が設けられている。第２の無線タグ42は、例えばＲＦＩＤタグである。第２の無線タグ42は、固有の識別情報である第２の情報を有している。キーホルダ21に第２の無線タグ42を設けるには、例えば、シールタイプの第２の無線タグ42をキーホルダ21に貼り付けてもよいし、キーホルダ21内に第２の無線タグ42を設けてもよい。
【００３６】
また、図１に示すように、鍵管理機10の各錠機構25には、各錠機構25に挿入されるキーホルダ21の第２の無線タグ42から第２の情報を取得するとともに、このキーホルダ21に連結されている鍵23の第１の無線タグ41から第１の情報を取得する取得部44が配置されている。取得部44は、錠機構25に近接して設けられるか、錠機構25に設けられている。取得部44は、例えばＲＦＩＤリーダである。なお、ある錠機構25の取得部44で、隣接する錠機構25に挿入されるキーホルダ21および鍵23の各無線タグ41，42からの電波を誤って取得するのを防止するために、互いに隣接する錠機構25の間に電波を遮蔽する遮蔽板等を設けてもよい。
【００３７】
さらに、鍵管理機10の鍵交換部18には、鍵交換部18に挿入されるキーホルダ21の第２の無線タグ42から第２の情報を取得するとともに、このキーホルダ21に連結されている鍵23の第１の無線タグ41から第１の情報を取得する取得部45が配置されている。取得部45は、鍵交換部18に近接して設けられるか、鍵交換部18に設けられている。取得部45は、例えばＲＦＩＤリーダである。なお、鍵交換部18に設けられる取得部45は、必須ではなく、鍵管理機10の仕様や必要性に応じて選択的に設けてもよい。
【００３８】
次に、図３に鍵管理機10の制御系のブロック図を示す。
【００３９】
鍵管理機10は、この鍵管理機10を制御する制御部50を有している。制御部50には、操作部38および表示部39、カードリーダ19、各錠機構25（取得部44を含む）、プリンタ17、鍵交換部18（取得部45を含む）、記憶部51および出力部である通信部52等が接続されている。通信部52は、外部と通信する。
【００４０】
そして、制御部50は、認証部53、登録部54、識別部55、および照合部56等の機能を備えている。
【００４１】
認証部53は、カードリーダ19によって読み取られるカード情報や操作部38で入力されるパスワード情報により、予め登録されている認証情報と照合し、操作者を認証する。
【００４２】
登録部54は、鍵23の固有の情報（鍵名称、鍵23に刻印された鍵番号等を含む）と第１の無線タグ41の第１の情報とを関連付けて登録し、さらに、キーホルダ21の固有の情報（挿入可能な錠機構25の番号等を含む）と第２の無線タグ42の第２の情報とを関連付けて登録し、さらに、キーホルダ21に係る情報（挿入可能な錠機構25の番号、第２の情報等を含む）とこのキーホルダ21に連結されている鍵23に係る情報（鍵名称、鍵番号、第１の情報等を含む）とを関連付けて登録する。また、登録部54は、錠機構25に係る情報（錠機構25の番号等）とこの錠機構25に挿入されるキーホルダ21に係る情報（挿入可能な錠機構25の番号、第２の情報等を含む）とを関連付けて登録する。したがって、錠機構25に係る情報と、この錠機構25に挿入可能なキーホルダ21に係る情報と、このキーホルダ21に連結されている鍵23に係る情報とが関連付けられて登録される。
【００４３】
登録部54は、キーホルダ登録モードの際に、取得部44により取得された第２の情報を有する新規（未登録）のキーホルダ21を、鍵管理機10の管理対象のキーホルダ21として登録する。登録部54は、既に登録済みのキーホルダ21については登録不可とする。また、登録部54は、新規のキーホルダ21が挿入された錠機構25を、当該キーホルダ21を管理する錠機構25として登録する。登録部54は、既にキーホルダ21が登録されている錠機構25に対し、新規を含む別のキーホルダ21が挿入されても錠機構25に当該キーホルダ21を登録不可とする。登録部54は、全ての錠機構25にキーホルダ21が登録されている場合、錠機構25に新規を含む別のキーホルダ21を登録不可とする。なお、登録部54は、取得部44により取得された第１の情報を有する鍵23を、鍵管理機10の管理対象の鍵23として登録するようにしてもよい。
【００４４】
識別部55は、取得部44，45により取得した第１の情報および第２の情報に基づき、キーホルダ21およびこのキーホルダ21に連結されている鍵23を識別する。識別部55は、錠機構25にキーホルダ21が挿入された際、操作部38にて所定の操作が行われた際、および鍵交換部18による鍵交換処理時等に、キーホルダ21およびこのキーホルダ21に連結されている鍵23を識別する。なお、操作部38による所定の操作とは、例えば、鍵交換完了とするボタンが押下されたときや、鍵交換が完了した旨の確認ボタンが押下されたとき等が含まれる。また、鍵交換処理時とは、鍵交換部18にて鍵23を交換し、鍵交換済みのキーホルダ21を錠機構25に挿入するまでが含まれる。
【００４５】
照合部56は、記憶部51に記憶している情報（登録部54によって登録される情報）と、識別部55による識別結果とを照合する。例えば、照合部56は、記憶部51に記憶している第１の情報と第２の情報の関連付けの情報に対して、識別部55によって識別された第１の情報および第２の情報が一致するか否かを照合する。
【００４６】
また、記憶部51は、登録部54によって登録される情報を記憶する。すなわち、記憶部51は、鍵23の固有の情報（鍵名称、鍵23に刻印された鍵番号等を含む）と第１の無線タグ41の第１の情報とを関連付けて記憶し、さらに、キーホルダ21の固有の情報（挿入可能な錠機構25の番号等を含む）と第２の無線タグ42の第２の情報とを関連付けて記憶し、さらに、キーホルダ21に係る情報（挿入可能な錠機構25の番号、第２の情報等を含む）とキーホルダ21に連結されている鍵23に係る情報（鍵名称、鍵番号、第１の情報等を含む）とを関連付けて記憶する。
【００４７】
また、操作部38は、錠機構25に対するキーホルダ21の返却時に認証を必要とする返却認証の有無を、錠機構25毎に設定する返却認証設定部57を構成している。
【００４８】
また、表示部39は、報知部58の少なくとも一部を構成している。報知部58は、報知情報を表示部39による表示によって報知する。報知部58は、照合部56による照合が一致しなかった場合、一致しなかった鍵23の情報を報知する鍵情報報知部であるとともに、取得部44，45により取得された第１の情報に対し、鍵23の固有の情報（鍵名称、鍵23に刻印された鍵番号等を含む）が登録されていない場合、鍵23の固有の情報（鍵名称、鍵23に刻印された鍵番号等を含む）を登録するように促す登録報知部である。なお、報知部58は、表示部39による表示以外に、音声案内等によって報知してもよい。
【００４９】
そして、制御部50は、錠機構25に挿入されたキーホルダ21および鍵23について、照合部56による照合が一致しなかった場合、錠機構25からのキーホルダ21の抜き取りを禁止するように制御する。すなわち、錠機構25は、照合部56による照合が一致しなかった場合、キーホルダ21の抜き取りを禁止する。また、制御部50は、登録部54によって新規のキーホルダ21を登録するためのキーホルダ登録モードを有し、操作部38によってキーホルダ登録モードを選択可能とする。
【００５０】
次に、図４に、鍵管理機10を用いた鍵管理システム60を示す。
【００５１】
鍵管理システム60は、鍵管理機10、この鍵管理機10と接続される端末61およびサーバ62等で構成されている。鍵管理機10と端末61とはインラインで接続され、また、鍵管理機10とサーバ62とはネットワーク63を通じて接続されている。
【００５２】
なお、鍵管理機10と端末61についても、ネットワーク63を通じて接続されていてもよい。
【００５３】
鍵管理機10は、通信部52により、識別部55による識別結果を端末61やサーバ62に出力する。さらに、鍵管理機10は、管理データを新規作成する場合に備えて、記憶部51で記憶している情報（キーホルダ21と鍵23と錠機構25の位置の関係等）を出力するようにしてもよい。
【００５４】
端末61は、例えばパソコン、タブレット、スマートフォン等で構成されている。端末61は、鍵管理機10で管理している鍵23に係る管理データを有している。端末61は、鍵管理機10の通信部52により出力された識別結果に基づき、管理データを更新する。なお、サーバ62も、端末61と同様に、管理データを有していてもよい。
【００５５】
次に、鍵管理機10の動作を説明する。
【００５６】
まず、鍵23の取出操作について説明する。
【００５７】
鍵23の取り出しを行う操作者は、保有するカードをカードリーダ19に通し、その後に表示部39に表示される入力画面でパスワードを入力する。操作者の情報が認証部53によって認証されることにより、表示部39にキーホルダ21の抜き取りが可能な錠機構25の選択画面を表示する。
【００５８】
表示部39の選択画面では、実際の錠機構25の配列に対応した配置でかつ錠機構25毎に番号を付した選択ボタンを一覧表示するとともに、予め登録されている操作者の取出権限のある鍵23に対応した選択ボタンを取出権限のない鍵23に対応した選択ボタンとは別の表示形態で表示する。さらに、取出権限のある鍵23のうち、鍵23が取出状態にある錠機構25の選択ボタンと鍵23を取出可能な錠機構25の選択ボタンとを異なる色で表示する。このとき、各錠機構25の錠表示部28の表示形態が、表示部39の表示と同期する。
【００５９】
操作者が表示部39の選択画面で選択ボタンを選択操作した後に確定操作をすることにより、選択された錠機構25を解錠する。操作者は、選択された錠機構25からキーホルダ21を抜き取り、キーホルダ21とともに鍵23を鍵管理機10から取り出して使用する。
【００６０】
なお、鍵23の取出時において、表示部39の選択画面による選択は必要とせず、カード情報およびパスワードの認証により、操作者がキーホルダ21の抜き取り可能な錠機構25を一斉に解除する構成としてもよい。
【００６１】
キーホルダ21が選択された錠機構25から抜かれたことを錠機構25のキーホルダ検知部で検知することにより、取出日時、操作者情報、キーホルダ21に係る情報（挿入可能な錠機構25の番号、第２の情報等を含む）および鍵23に係る情報（鍵名称、鍵番号、第１の情報等を含む）等を含む取出情報の履歴を記憶部51に記憶する。または、キーホルダ21が錠機構25から引き抜かれ、このキーホルダ21および鍵23が錠機構25の取得部44との無線通信可能な範囲の外に出ることにより、取得部44の情報状態の変化に基づいて制御部50がキーホルダ21が錠機構25から抜かれたと判断し、取出日時、操作者情報、キーホルダ21に係る情報（挿入可能な錠機構25の番号、第２の情報等を含む）および鍵23に係る情報（鍵名称、鍵番号、第１の情報等を含む）等を含む取出情報の履歴を記憶部51に記憶してもよい。
【００６２】
次に、鍵23の返却操作について説明する。
【００６３】
鍵23の返却操作は、操作者の認証を必要としない通常運用の場合と、操作者の認証を必要とする返却認証運用の場合とがあり、これらの運用は錠機構25毎に設定されている。
【００６４】
まず、通常運用の場合、操作者によって返却する鍵23のキーホルダ21を対応する錠機構25の挿入口30に挿入する。このキーホルダ21が錠機構25の所定の施錠位置まで挿入されることにより、錠機構25のキーホルダ施錠部によってキーホルダ21を施錠する。
【００６５】
キーホルダ21が錠機構25に挿入されて施錠されたことを錠機構25のキーホルダ検知部で検知し、キーホルダ21が返却された錠機構25の取得部44でキーホルダ21の第２の無線タグ42からの第２の情報およびこのキーホルダ21に連結されている鍵23の第１の無線タグ41からの第１の情報を取得する。この取得情報から制御部50の識別部55でキーホルダ21および鍵23を識別するとともに、この識別情報を制御部50の照合部56で記憶部51に記憶している情報と照合する。この照合が一致することにより、制御部50はキーホルダ21が錠機構25に返却されたことを確認し、返却日時、キーホルダ21に係る情報（挿入可能な錠機構25の番号、第２の情報等を含む）および鍵23に係る情報（鍵名称、鍵番号、第１の情報等を含む）等を含む返却情報の履歴を記憶部51に記憶する。
【００６６】
また、返却認証運用の場合、操作者は、操作部38で鍵23の返却を指定し、保有するカードをカードリーダ19に通すとともに、操作部38でパスワードを入力する。操作者の情報が認証部53によって認証されることにより、上述した通常運用のように返却操作が可能となるとともに、操作者情報を含めた返却情報の履歴が記憶部51に記憶される。なお、この返却認証を行う操作者は、鍵貸出操作を行った操作者本人でもよいし、この操作者本人とは別のユーザでもよい。
【００６７】
なお、キーホルダ21をある錠機構25に挿入しようとして近付けた際、あるいはキーホルダ21をある錠機構25に挿入した際、その錠機構25の取得部44でキーホルダ21の第２の無線タグ42からの第２の情報およびこのキーホルダ21に連結されている鍵23の第１の無線タグ41からの第１の情報の少なくとも一方を取得し、この取得情報から制御部50の識別部55でキーホルダ21および鍵23の少なくとも一方を識別し、この識別情報から制御部50の照合部56でキーホルダ21を挿入した錠機構25が正しいか否かを照合する。照合の結果、正しい場合には、制御部50はキーホルダ21の返却を受け付け、錠機構25でキーホルダ21を施錠して管理する。照合の結果、間違っている場合には、錠機構25でキーホルダ21を施錠せず、返却先が間違っている旨を表示部39（報知部58）で報知する。
【００６８】
次に、キーホルダ21に連結されている鍵23を別の鍵23に交換したり、キーホルダ21に別の鍵23を追加したり、キーホルダ21に連結されている複数の鍵23の中から一部の鍵23を外したりといったキーホルダ21に対する鍵交換処理について、図５のフローチャートを参照して説明する。
【００６９】
鍵交換の権限を有する権限者である管理者により、上述と同様にカード情報およびパスワードの入力による認証後に、操作部38を操作して鍵交換モードを選択し、表示部39に表示される鍵交換モード画面で鍵交換を行うキーホルダ21を選択する。この操作により、選択されたキーホルダ21の錠機構25を解錠し、また、鍵交換部18では挿入口30内の係止解除位置までキーホルダ21を挿入可能な状態とする。
【００７０】
管理者は、選択されたキーホルダ21を錠機構25から抜き取り、抜き取ったキーホルダ21を鍵交換部18の挿入口30に挿入する。キーホルダ21を挿入口30内の係止解除位置まで挿入すると、挿入口30内の解除部材により、キーホルダ21の係止が解除されてリング22を外せる状態となる。
【００７１】
キーホルダ21が挿入口30内の係止解除位置まで挿入されたことを鍵交換部18の鍵交換検知部で検知し、キーホルダ21が挿入された鍵交換部18の取得部45でキーホルダ21の第２の無線タグ42からの第２の情報およびこのキーホルダ21に連結されている鍵23の第１の無線タグ41からの第１の情報を取得し、この取得情報から制御部50の識別部55でキーホルダ21およびこのキーホルダ21に連結されている鍵23を識別し、この識別情報を制御部50の照合部56で記憶部51に記憶している情報と照合し、この照合が一致することにより、制御部50は鍵交換処理を行おうとしているキーホルダ21および鍵23を確認し、交換日時、操作する管理者情報、キーホルダ情報および鍵情報等を含む鍵交換情報の履歴を記憶部51に記憶する。
【００７２】
管理者は、係止の解除されたキーホルダ21を鍵交換部18から抜き取り、キーホルダ21からリング22を外し、リング22に対して別の鍵23と交換したり、リング22に別の鍵23を追加したり、リング22に装着されている複数の鍵23の中から一部の鍵23を外したりした後、キーホルダ21とリング22とを組み合わせてリング22を外せない状態にキーホルダ21を係止し、キーホルダ21に対する鍵交換操作を完了する（ステップＳ１）。
【００７３】
そして、鍵交換操作の終えたキーホルダ21を元の錠機構25に挿入し、返却する（ステップＳ２）。
【００７４】
キーホルダ21が返却された錠機構25の取得部44は、キーホルダ21に連結されている鍵23の第１の無線タグ41から第１の情報を取得するとともに、キーホルダ21の第２の無線タグ42から第２の情報を取得する（ステップＳ３のＹＥＳ）。
【００７５】
制御部50の識別部55は、取得部44で取得した第１の情報および第２の情報に基づき、キーホルダ21に連結されている鍵23およびキーホルダ21を識別する（ステップＳ４）。
【００７６】
制御部50の照合部56は、キーホルダ21に係る情報（挿入可能な錠機構25の番号、第２の情報等を含む）とキーホルダ21に連結されている鍵23に係る情報（鍵名称、鍵番号、第１の情報等を含む）とを関連付けて記憶部51に記憶している情報と、識別部55による識別結果とを照合する（ステップＳ５）。
【００７７】
仮に、鍵23を交換しなかったり増減せずに、キーホルダ21を元の錠機構25に返却した場合には、照合部56による照合が一致し（ステップＳ６のＹＥＳ）、鍵交換処理を終了する。
【００７８】
そして、照合部56による照合が一致せず、キーホルダ21に連結されている鍵23が関連付けされていない場合（ステップＳ６のＮＯ）、報知部（鍵情報報知部）58で、新たに取得された鍵23の鍵情報（第１の情報）や不足する鍵23の鍵情報（鍵名称、鍵番号、第１の情報等）を報知する（ステップＳ７）。さらに、照合が一致しない場合、錠機構25からのキーホルダ21の抜き取りを禁止する（ステップＳ８）。
【００７９】
ここでは、キーホルダ21に対して情報が関連付けされていない鍵23に交換した場合や新たな鍵23を追加している場合について説明する。
【００８０】
管理者は、報知部（鍵情報報知部）58による報知、つまり表示部39に表示される鍵情報を確認し、鍵情報が報知された新たな鍵23の鍵名称や鍵23に刻印された鍵番号等の鍵23の固有の情報を操作部38で入力する（ステップＳ９）。
【００８１】
鍵23の固有の情報が入力されることにより、制御部50の登録部54は、入力された鍵23の固有の情報と鍵23の第１の無線タグ41から取得された第１の情報とを関連付けて自動的に登録する（ステップＳ10）。さらに、制御部50の登録部54は、キーホルダ21に係る情報（挿入可能な錠機構25の番号、第２の情報等を含む）とこのキーホルダ21に連結されている鍵23に係る情報（鍵名称、鍵番号、第１の情報等を含む）とを関連付けて自動的に登録する（ステップＳ11）。
【００８２】
これらの登録完了により、鍵管理機10から識別結果や登録情報等の情報を上位機器である端末61やサーバ62に出力し（ステップＳ12）、鍵交換処理が完了する。
【００８３】
そして、端末61やサーバ62では、鍵管理機10の通信部52により出力された識別結果や登録情報に基づき、管理データを更新する。
【００８４】
また、鍵交換操作により、キーホルダ21に連結されている複数の鍵23の中から一部の鍵23を外した場合、管理者は、表示部39に表示される不足する鍵23の鍵情報を確認し、操作部38で登録を削除する操作をする。
【００８５】
次に、鍵管理機10への新規（未登録）のキーホルダ21の登録処理について、図６のフローチャートを参照して説明する。
【００８６】
例えば、キーホルダ21を紛失または破損した場合、新規のキーホルダ21に交換する。なお、キーホルダ21とともに鍵23を紛失した場合には、紛失した鍵23に代えて新たな鍵23を用意し、その新たな鍵23を新たなキーホルダ21に取り付ける。また、キーホルダ21が破損した場合には、上述した鍵交換操作により、破損したキーホルダ21の係止解除を行い、鍵23を破損したキーホルダ21から外して新規のキーホルダ21に取り付ける。新規のキーホルダ21は、キーホルダ本体とリング係止体とが分離されており、鍵23を取り付けたリング22を介してキーホルダ本体とリング係止体を組み合わせることにより、鍵23を取外し不可とする。なお、新規のキーホルダ21のキーホルダ本体とリング係止体が分離されていない場合には、キーホルダ21の登録後にキーホルダ21に鍵23を取り付けるための鍵交換を促すよう報知部58で報知してもよい。
【００８７】
そして、キーホルダ21の登録の権限を有する権限者である管理者により、上述したカード情報およびパスワードの入力による認証後に、操作部38を操作してキーホルダ登録削除モードを選択し、紛失または破損したキーホルダ21の登録を削除する。
【００８８】
続いて、管理者は、操作部38を操作してキーホルダ登録モードを選択する（ステップＳ２１）。
【００８９】
キーホルダ登録モードとなると、図７に示すように、表示部39にキーホルダ登録モード画面が表示される。このキーホルダ登録モード画面では、複数の錠機構25に予め付されている番号の選択ボタンのうち、登録可能な錠機構25に対応した番号の選択ボタンが表示される。この場合、キーホルダ21が抜き取られている錠機構25についてのみ、登録可能な選択ボタンとして表示される。管理者は、キーホルダ登録モード画面の選択ボタンの中から登録したい番号の選択ボタン（つまり錠機構25）を選択する（ステップＳ２２）。図７には、例えば、６番、７番、１３番、１９番の選択ボタンが登録可能な選択ボタンとして表示され、これら登録可能な選択ボタンの中から７番の選択ボタンを操作する例を示す。
【００９０】
続いて、新規のキーホルダ21を選択した番号の錠機構25に挿入し（ステップＳ２３）、キーホルダ登録モード画面の登録ボタンを押下する（ステップＳ２４）。
【００９１】
登録ボタンの押下により、選択された錠機構25の取得部44は、この錠機構25に挿入されたキーホルダ21の第２の無線タグ42から第２の情報を取得する（ステップＳ２５であり、鍵管理方法の取得ステップである）。このとき、キーホルダ21に鍵23が連結されている場合には、取得部44によって、キーホルダ21に連結されている鍵23から第１の情報を取得してもよい。
【００９２】
制御部50の登録部54は、キーホルダ登録モードにおいて、取得部44により取得された第２の情報を有する新規のキーホルダ21を、鍵管理機10の管理対象のキーホルダ21として登録するとともに（ステップＳ２６であり、鍵管理方法の登録ステップである）、新規のキーホルダ21が挿入された錠機構25を、当該キーホルダ21を管理する錠機構25として関連付けて登録する（ステップＳ２７）。このとき、キーホルダ21に連結されている鍵23に係る情報が取得されている場合には、鍵23についてもキーホルダ21や錠機構25と関連付けて登録してもよい。
【００９３】
なお、登録部54は、既に登録済みのキーホルダ21については登録不可とする。さらに、登録部54は、既にキーホルダ21が登録されている錠機構25に対し、新規を含む別のキーホルダ21が挿入されても錠機構25に当該キーホルダ21を登録不可とする。また、登録部54は、全ての錠機構25にキーホルダ21が登録されている場合、錠機構25に新規を含む別のキーホルダ21を登録不可とする。なお、これらのように登録不可とせず、上書き登録できるようにしてもよい。
【００９４】
そして、登録日時、操作者情報、錠機構25に係る情報、キーホルダ21に係る情報、鍵23に係る情報等の登録情報の履歴を記憶部51に記憶するとともにプリンタ17で印字し（ステップＳ２８）、キーホルダ21の登録処理を終了する。図８には、プリンタ17で印字した登録履歴のジャーナルを示す。登録履歴のジャーナルには、例えば、２１：４５に一般のＮＯ．０００００００１の操作者が鍵23を取り出した後、キーホルダ21を紛失または破損したために、翌日の０８：５０にＮＯ．０００００００３の管理者がキーホルダ21の登録操作を行ったことを示す。なお、登録を削除する理由（キーホルダ21を紛失したためなど）や、新規登録理由（キーホルダ21の紛失分の補充など）を操作部38で手入力可能となっており、手入力された上記理由を履歴として記憶（出力）してもよい。
【００９５】
次に、錠機構25毎に返却認証の有無を設定する返却認証設定処理について、図９を参照して説明する。
【００９６】
返却認証設定の登録の権限を有する権限者である管理者により、上述したカード情報およびパスワードの入力による認証後に、操作部38を操作して返却認証設定モードを選択する。
【００９７】
返却認証設定モードとなると、図９に示すように、表示部39に返却認証設定画面が表示される。この返却認証設定画面では、複数の錠機構25に予め付されている番号の選択ボタンが表示され、これら選択ボタンのうち、返却認証設定有りの選択ボタンと、返却認証設定無しの選択ボタンとが異なる表示形態（例えば色）で表示される。なお、返却認証が操作者本人でよい場合と、別のユーザでなければならない場合とで、さらに色を変えてもよい。
【００９８】
管理者は、返却認証設定無しの選択ボタンの中から、１つまたは複数を選択して押下し、設定有りボタンを押下し、設定ボタンを押下することにより、選択された錠機構25が返却認証有りに設定される。また、管理者は、返却認証設定有りの選択ボタンの中から、１つまたは複数を選択して押下し、設定無しボタンを押下し、設定ボタンを押下することにより、選択された錠機構25が返却認証無しに設定される。
【００９９】
なお、未使用の錠機構25があり、この錠機構25で管理する新規のキーホルダ21を追加する場合にも、上述したように登録することができる。
【０１００】
次に、他の処理として、全ての鍵23が返却されているか否かを確認する締め上げ処理がある。この場合、権限の有効な管理者が操作部38で全ての鍵23の鍵精査処理を選択操作することにより、全ての錠機構25の取得部44でキーホルダ21に連結されている鍵23の情報を取得し、これら取得情報から識別部55で鍵23を識別し、全ての鍵23が返却されているか確認する。
【０１０１】
さらに、特定の錠機構25に挿入されているキーホルダ21に連結されている鍵23が正常か否かを確認する鍵精査処理がある。この場合、権限の有効な管理者が操作部38で特定の錠機構25の鍵23の鍵精査処理を選択操作することにより、選択された特定の錠機構25の取得部44でキーホルダ21に連結されている鍵23の情報を取得し、この取得情報から識別部55で鍵23を識別し、鍵23を確認する。
【０１０２】
なお、制御部50により、所定の時間毎に、全ての錠機構25の取得部44での情報取得、および識別部55での識別による確認動作を自動的に行ってもよい。
【０１０３】
以上のように、鍵管理機10および鍵管理システム60によれば、キーホルダ21の第２の情報を取得部44で取得し、この取得された第２の情報を有するキーホルダ21を管理対象のキーホルダ21として登録するため、キーホルダ21の新規登録が自動的になされて不正の余地もなく、より簡便かつ厳正にキーホルダ21を新規登録できる。そのため、キーホルダ21の新規登録をユーザ側で実施する運用が可能となり、鍵管理機メーカー側の負担を軽減できる。
【０１０４】
キーホルダ21に識別情報を有する第２の無線タグ42を設けることにより、取得部44は第２の無線タグ42から識別情報を容易に取得できるため、効率的にキーホルダ21を新規登録できる。
【０１０５】
キーホルダ21の新規登録は、登録に係る権限を有する管理者が可能とするため、厳正にキーホルダ21を新規登録できる。さらに、キーホルダ21の新規登録は、キーホルダ登録モードの際に可能とするため、キーホルダ21の誤登録を防止できる。また、既に登録済みのキーホルダ21については、登録不可とするため、重複登録を防止できる。
【０１０６】
錠機構25に取得部44を設けたため、錠機構25にキーホルダ21が挿入される際に第２の情報を取得できる。なお、取得部44は、錠機構25にキーホルダ21が挿入されたときに第２の情報を取得してもよいし、錠機構25にキーホルダ21が挿入された後に操作部38で所定の取得ボタンが押下されたときに第２の情報を取得してもよい。
【０１０７】
既にキーホルダ21が登録されている錠機構25に対し、新規を含む別のキーホルダ21が挿入されても錠機構25に当該キーホルダ21を登録不可とするため、重複登録を防止できる。また、登録部54は、全ての錠機構25にキーホルダ21が登録されている場合、錠機構25に新規を含む別のキーホルダ21を登録不可とするため、重複登録を防止できる。
【０１０８】
また、返却認証設定部57により、錠機構25に対するキーホルダ21の返却時に認証を必要とする返却認証の有無を、錠機構25毎に個別に設定できるため、返却認証が必要な鍵23については返却認証を有りに設定でき、それ以外の鍵23については返却認証を無しに設定して鍵23の返却操作を簡単にできる。
【０１０９】
また、取得部44，45でキーホルダ21に連結されている鍵23の第１の無線タグ41から第１の情報を取得し、識別部55で第１の情報に基づいてキーホルダ21に連結されている鍵23を識別するため、キーホルダ21に連結されている鍵23の効率的かつ厳正な管理ができる。
【０１１０】
さらに、鍵管理機10は、取得部44，45でキーホルダ21の第２の無線タグ42から第２の情報を取得し、識別部55で第１の情報および第２の情報に基づいてキーホルダ21に連結されている鍵23およびキーホルダ21を識別するため、キーホルダ21およびこのキーホルダ21に連結されている鍵23の効率的かつ厳正な管理ができる。
【０１１１】
また、鍵管理機10は、記憶部51に、キーホルダ21に係る情報（挿入可能な錠機構25の番号、第２の情報等を含む）と、キーホルダ21に連結されている鍵23に係る情報（鍵名称、鍵番号、第１の情報等を含む）とを関連付けて記憶するため、キーホルダ21とこのキーホルダ21に連結されている鍵23について、より効率的かつ厳正な管理ができる。
【０１１２】
照合部56により、記憶部51に記憶している情報と、識別部55による識別結果とを照合するため、記憶部51に記憶されているキーホルダ21および鍵23なのか否かの確認や、キーホルダ21とこのキーホルダ21に連結されている鍵23との関係が正しいか否かの確認ができる。
【０１１３】
照合部56による照合が一致しなかった場合、一致しなかった鍵情報を報知部（鍵情報報知部）58で報知するため、キーホルダ21に対して交換または追加された新たな鍵23の情報や不足する鍵23の情報を管理者等が容易に把握できる。
【０１１４】
照合部56による照合が一致しなかった場合、錠機構25からのキーホルダ21の抜き取りを禁止するため、管理者による対応を必要とし、鍵23の厳正な管理ができる。
【０１１５】
また、識別部55によるキーホルダ21およびこのキーホルダ21に連結されている鍵23の識別は、鍵交換部18による鍵交換処理時、操作部38にて所定の操作（鍵精査処理等）が行われた際、および錠機構25にキーホルダ21が挿入された際の少なくともいずれかのタイミングで実施するため、常に、鍵23の厳正な管理ができる。
【０１１６】
また、無線タグ41，42にはＲＦＩＤタグを用い、取得部44，45にはＲＦＩＤリーダを用い、第１の情報および第２の情報はＲＦＩＤタグの識別情報であるため、鍵23の効率的かつ厳正な管理ができる。
【０１１７】
また、鍵交換したキーホルダ21を錠機構25に挿入した際等に、取得部44により取得された鍵23の第１の情報に対し、鍵23の固有の情報（鍵名称、鍵番号等を含む）が登録されていない場合、報知部（登録報知部）58により鍵23の固有の情報（鍵名称、鍵番号等を含む）を登録するように促すため、管理者は、その報知を確認し、鍵23の固有の情報（鍵名称、鍵番号等を含む）を第１の情報に関連付けて登録できる。
【０１１８】
なお、本実施の形態では、キーホルダ21を挿入する錠機構25は決まっているが、キーホルダ21を挿入する錠機構25が間違っていたとしても返却を受け付けるようにしてもよい。もしくは、キーホルダ21を挿入する錠機構25を定めず、キーホルダ21を空いている錠機構25のどこに挿入しても返却を受け付けるようにしてもよい。
【０１１９】
また、鍵管理機10とは別に、取得部44、登録部54および識別部55等の機能を備えた取得ユニット（ＲＦＩＤリーダユニット）を設け、この取得ユニットによって、キーホルダ21の第２の無線タグ42からの第２の情報とこのキーホルダ21に連結されている鍵23の第１の無線タグ41からの第１の情報との関連付けの処理を行ってもよい。
【０１２０】
さらに、記憶部51はキーホルダ21に設けてもよい。この場合、キーホルダ21が鍵管理機10の錠機構25に挿入された際に、鍵管理機10の制御部50はキーホルダ21の記憶部51から登録情報等の情報を取得し、この情報に基づいて鍵23を識別および照合してもよい。この場合、制御部50とキーホルダ21とは非接触通信または接触通信によって通信可能に構成する。
【０１２１】
なお、鍵には、鍵穴に差し込んで操作する鍵の他、カード形態の鍵や車の鍵等のその他の形態についても含まれる。したがって、鍵管理機は、例えばカード管理機や車用鍵管理機（キーボックス）としても置き換え可能である。
【符号の説明】
【０１２２】
10    鍵管理機
16    鍵管理部
21    キーホルダ
23    鍵
25    錠機構
42    無線タグである第２の無線タグ
44    取得部
50    制御部
54    登録部
57    返却認証設定部
60    鍵管理システム
【図１】
2020122312.tif 000003
【図２】
2020122312.tif 000004
【図３】
2020122312.tif 000005
【図４】
2020122312.tif 000006
【図５】
2020122312.tif 000007
【図６】
2020122312.tif 000008
【図７】
2020122312.tif 000009
【図８】
2020122312.tif 000010
【図９】
2020122312.tif 000011